(57)【要約】【課題】  手洗い用排水管の便器内における水勾配を簡単な構成で確実に確保できる。便器の外郭に設けた手洗い用排水管を外部に導出するための導出用開口部の縁部を傷付けない。【解決手段】  ボウル部１を備えた便器２内にボウル部１からの排水のための排水部３を設ける。手洗い器４からの排水を排水部３に流すための手洗い排水管５の下流側配管部６の下流側端部を排水部３に接続すると共に上流側端部を便器２の外郭１０から外部に導出する。便器２の外郭１０の背面側の部位を構成する背面カバー７の内面部に支持リブ８を突設する。支持リブ８に上記便器２内に位置する下流側配管部６を支持して該下流側配管部６の水勾配を確保する。【選択図】        図１
2009235746.tif 000002
【特許請求の範囲】
【請求項１】
ボウル部を備えた便器内にボウル部からの排水のための排水部を設け、手洗い器からの排水を排水部に流すための手洗い排水管の下流側配管部の下流側端部を排水部に接続すると共に上流側端部を便器の外郭から外部に導出するものであって、便器の外郭の背面側の部分を構成する背面カバーの内面部に支持リブを突設し、該支持リブに上記便器内に位置する下流側配管部を支持して該下流側配管部の水勾配を確保して成ることを特徴とする便器への手洗い排水管の保持構造。
【発明の詳細な説明】
【技術分野】
【０００１】
本発明は、便器への手洗い排水管の保持構造に関するものである。
【背景技術】
【０００２】
従来から、ボウル部を備えた便器内にボウル部からの排水のための排水部を設け、手洗い器からの排水を排水部に流すための手洗い排水管の下流側配管部の下流側端部を排水部に回動自在に接続すると共に上流側端部を便器から外部に導出するものが特許文献１により知られている。
【０００３】
この特許文献１に示された従来例にあっては、排水部に下流側端部を回動自在に取付けた下流側配管部を便器内において保持して下流側配管部の水勾配を確保するようなものが存在しなかった。
【０００４】
このため、上記従来例は、排水部における下流側配管部の接続部分をできるだけ便器の下部にずらして位置させ、下流側配管部を便器から外部に導出する導出用開口部をできるだけ便器の上部にずらして位置させることで、水勾配を確保する必要がある。このように、排水部における下流側配管部の接続部分をできるだけ便器の下部にずらして位置させなければならないので、下流側配管部の排水部への接続作業がし難いという問題がある。
【０００５】
また、下流側配管部の外部に導出した部分の端部には手洗い器に接続する上流側配管部を接続して、下流側配管部と上流側配管部とで水手洗い用排水管を構成するのであるが、下流側配管部の外部に導出した部分の端部には手洗い器に接続する上流側配管部を接続する際、下流側配管部に外力が作用して便器の外郭に設けた導出用開口部の縁部に強く押付けられて導出用開口部の縁部を傷付ける恐れがあり、導出用開口部の縁部は外部に露出する部分であるため、この部分に傷が付くのは好ましくない。
【特許文献１】特開２００３−２３０４４１号公報
【発明の開示】
【発明が解決しようとする課題】
【０００６】
本発明は上記の従来の問題点に鑑みて発明したものであって、手洗い用排水管の便器内における水勾配を簡単な構成で確実に確保でき、また、便器の外郭に設けた手洗い用排水管を外部に導出するための導出用開口部の縁部を傷付けることがない便器への手洗い排水管の保持構造を提供することを課題とするものである。
【課題を解決するための手段】
【０００７】
本発明に係る便器への手洗い排水管の保持構造は、ボウル部１を備えた便器２内にボウル部１からの排水のための排水部３を設け、手洗い器４からの排水を排水部３に流すための手洗い排水管５の下流側配管部６の下流側端部を排水部３に接続すると共に上流側端部を便器２の外郭１０から外部に導出する構造となっている。そして、本発明の特徴とするところは、便器２の外郭１０の背面側の部位を構成する背面カバー７の内面部に支持リブ８を突設し、該支持リブ８に上記便器２内に位置する下流側配管部６を支持して該下流側配管部６の水勾配を確保して成るものである。
【０００８】
このような構成とすることで、便器２の外郭１０の背面側の部位を構成する背面カバー７に設けた支持リブ８により手洗い排水管５の下流側配管部６を便器２内で支持することで便器２内における手洗い排水管５の水勾配を確保することができ、手洗い水が途中で滞留することなく、便器２に備わった排水部３にスムーズに排水することができる。また、背面カバー７の内面に設けた支持リブ８で下流側配管部６を支持するので、下流側配管部６の外部に導出した部分の端部に手洗い器４に接続する上流側配管部９を接続する際、下流側配管部６に外力が作用しても支持リブ８で支持することになり、この結果、便器２の外郭１０に設けた導出用開口部１２の縁部を傷付ける恐れがない。
【発明の効果】
【０００９】
本発明は、上記のように背面カバーの内面部に支持リブを突設した支持リブに便器内に位置する下流側配管部を支持して下流側配管部の水勾配を確保するものであるから、手洗い用排水管の便器内における水勾配を簡単な構成で確実に確保することができる。また、支持リブで下流側配管部を支持するので、下流側配管部に外力が作用しても支持リブで支持できて便器の外郭に設けた手洗い用排水管を外部に導出するための導出用開口部の縁部を傷付けることがない。
【発明を実施するための最良の形態】
【００１０】
以下、本発明を添付図面に示す実施形態に基いて説明する。
【００１１】
便器２は内部にボウル部１を備えたものであり、便器２の外郭１０は少なくとも外郭１０の背面を構成する部位である背面カバー７が外郭１０の他の部位を構成する部材と別部材となっており、この背面カバー７は便器２に取付け手段により着脱自在に取付けられる。
【００１２】
添付図面に示す実施形態では、本発明の便器２は、ボウル部１を備えた前パーツ１４と、後パーツ１５と、トラップケース１６と、支持フレーム１１とで構成してある。
【００１３】
前パーツ１４は便器２の外郭１０の前部を構成する平断面略Ｕ字状をしたスカート部１９と、スカート部１９内の上部内に位置したボウル部１と、ボウル部１の上に位置するリム部１８とで構成してあり、図４に示すようにスカート部１９、ボウル部１、リム部１８は一体化してある。添付図面に示す実施形態では、スカート部１９、ボウル部１、リム部１８がそれぞれ合成樹脂により成形してあり、このように合成樹脂により成形したスカート部１９、ボウル部１、リム部１８を溶着により一体化した例が示してある。
【００１４】
図４に示すように、前パーツ１４は支持フレーム１１の前部に取付けてあり、支持フレーム１１には更にトラップケース１６が取付けてある。トラップケース１６内にはトラップが内装してあり、該トラップの前端部をボウル部１の下部後端部に設けた排出孔部２３に接続してある。
【００１５】
本実施形態においてはトラップがターントラップ方式のもので、フレキシブルなトラップ筒（図示せず）により構成してあり、モータ（図示せず）によりトラップ筒を回動してトラップ筒が上向きＵ字状となったトラップ構造となる状態と、略逆Ｌ字状となってトラップ構造が解除されて排水される状態とを選択できるようになっている。また、トラップケース１６の下端部は排水口となっていて、便器２を設置する床面に設けた排出筒（図示せず）に連通接続される。
【００１６】
そして、通常はトラップ筒が上向きＵ字状となったトラップ構造となっていてボウル部１内の下部、トラップ筒内に水が溜まる構造となっていて、この状態で大便や小便を行い、大便や小便が終わると、ボウル部１内に洗浄水を流すと共に、トラップ筒を回動してトラップ構造状態を解除することで汚物と共に洗浄水を排水トラップケース１６の下端部の排水口から排出筒に排出されるようになっている。
【００１７】
したがって、本実施形態においては、トラップ筒を内装したトラップケース１６がボウル部からの排水のための排水部３を構成している。この排水部３となるトラップケース１６の後部の上部には後述の手洗い排水管５の下流側配管部６の下流側端部を接続するための接続部１６ａが設けてある。
【００１８】
後パーツ１５は、上カバー２６、装置支持ケース２７、側カバー２８、背面カバー７で構成してある。
【００１９】
後パーツ１５の装置支持ケース２７には図５に示すように局部洗浄用の温水洗浄装置等の便器付属装置３０、便座、便蓋１７が取付けてあり、装置支持ケース２７に上カバー２６が着脱自在に取付けてある。
【００２０】
装置支持ケース２７は支持フレーム１１の上フレーム２０に取付け、側カバー２８は装置支持ケースや支持フレーム１１に着脱自在に取付けてある。
【００２１】
また、背面カバー７は上カバー２６や側カバー２８に着脱自在に取付けてある。
【００２２】
上記のような構成の便器２において、本実施形態ではスカート部１９、上カバー２６、側カバー２８、背面カバー７により便器２の外郭１０を構成してある。
【００２３】
便器２の外郭１０には導出用開口部１２が設けてあり、添付図面に示す実施形態では、図３に示すように、背面カバー７の両側上部に前方に向けて突出する突出片７ａを設け、突出片７ａの下部に薄肉部７ｂを介して切り取り可能部７ｃを設け、左右の突出片７ａのうち一方を薄肉部７ｂで切断することで切り取り可能部７ｃを切り取り、この切り取り可能部７ｃを切り取った凹み７ｄと側カバー２８の背部の上端部に形成したＬ状の凹部２８ａとで囲まれた部分が導出用開口部１２となっている。また、背面カバー７の内面部には左右に支持リブ８が突設してある。
【００２４】
排水部３であるトラップケース１６の後部の上部に設けた接続部１６ａには手洗い排水管５の下流側配管部６の下流側端部が接続してある。
【００２５】
手洗い排水管５は排水部３に一端が接続される上記下流側配管部６と、これとは別体の上流側配管部９とに大別される。
【００２６】
図２に示すように下流側配管部６は前向き筒部６ａと前向き筒部６ａの後端部から側方に横向き筒部６ｂを一体に突設して構成したＬ字状をしている。そして、背面カバー７を取外した状態（すなわち背面カバー７を取付ける前の状態）で、下流側配管部６の前向き筒部６ａの前端部をトラップケース１６の後部の接続部１６ａに接続し、横向き筒部６ｂの先端部を側カバー２８の背部の上端部に形成したＬ状の凹部２８ａから外部に導出させる。
【００２７】
この場合、上カバー２６又は装置支持ケース２７から下方に向けて支持部２９を垂設し、横向き筒部６ｂの背面部を支持し、横向き筒部６ｂがＬ状の凹部２８ａの後端よりも前方に位置するように前後方向の位置決めしている。
【００２８】
この状態で、背面カバー７を取付ける。背面カバー７を取付けるに当っては、背面カバー７に係止部４０を設け、側カバー２８や支持フレーム１１に設けた被係止部４１に着脱自在に係止することで取付ける。ここで、上カバー２６や装置支持ケース２７にも被係止部４１を設けて背面カバー７にこの上カバー２６や装置支持ケース２７に設けた被係止部４１に着脱自在な係止部４０を更に設けるようにしてもよい。
【００２９】
図１に示すように、背面カバー７を取付けることで、背面カバー７の内面部に突設した支持リブ８により下流側配管部６の横向き筒部６ｂが支持されて、下流側配管部６が接続部１６ａ側が下となるように下り傾斜した水勾配を確保するようになっている。背面カバー７を取付けることで、外郭１０に凹み７ｄとＬ状の凹部２８ａとで囲まれた導出用開口部１２が形成され、これにより下流側配管部６の上流側端部が導出用開口部１２から外部に突出した構成となる。
【００３０】
このように支持リブ８で下流側配管部６の横向き筒部６ｂを支持して水勾配を確保した状態で横向き筒部６ｂは導出用開口部１２の下縁に相当するＬ状の凹部２８ａの下縁よりも僅かに浮いた状態となる。
【００３１】
上記のように背面カバー７を取付けて下流側配管部６の横向き筒部６ｂを支持して水勾配を確保する。
【００３２】
一方、便器２の近くで便器２よりも上方位置に手洗い器４を配設する。この手洗い器４には蛇口（図示せず）を設け、蛇口に給水管４６を接続する。
【００３３】
また、手洗い器４の排水口部４７に上流側配管部９の上流側端部を接続すると共に、該上流側配管部９の下流側端部を、上記便器２の外郭１０の導出用開口部１２から突出した下流側配管部６の上流側端部に接続する。このように上流側配管部９と下流側配管部６とを接続することで、手洗い器４からの排水を排水部３に流すための手洗い排水管５を構成する。
【００３４】
これにより、手洗い器４からの排水は上流側配管部９と下流側配管部６とからなる手洗い排水管５を通して排水部３を構成するトラップケース１６に流して下端部の排水口から排出筒に排水される。
【００３５】
ここで、本発明においては、背面カバー７に設けた支持リブ８により手洗い排水管５の下流側配管部６を便器２内で支持して便器２内における手洗い排水管５の水勾配を確保しているので、手洗い水が途中で滞留することなく、便器２に備わった排水部３にスムーズに排水することができる。
【００３６】
また、下流側配管部６の横向き筒部６ｂを外郭１０に設けた導出用開口部１２から導出するに当って、導出用開口部１２の下縁であるＬ状の凹部２８ａの下縁に横向き筒部６ｂが当らないように浮いているので、下流側配管部６の上流側端部に上流側配管部９の下流側端部を接続する際、あるいは、接続後に上方からの荷重がかかっても荷重は支持リブ８で支持され、外郭１０の導出用開口部１２の下縁に横向き筒部６ｂが強く押し当ってこの部分を破損したり、傷付けたりすることがなく、便器２の外郭１０の外観を損なわないようにしている。
【図面の簡単な説明】
【００３７】
【図１】本発明の背方から見た斜視図である。
【図２】同上の背面カバーを取外した状態の分解斜視図である。
【図３】同上に用いる背面カバーを示し、（ａ）は平面図であり、（ｂ）は正面図であり、（ｃ）は背面図であり、（ｄ）は断面図である。
【図４】同上の前パーツとトラップケースとを支持フレームに取付けた状態の側面断面図である。
【図５】同上の更に装置支持ケースと上カバーを取付けた状態の側面図である。
【符号の説明】
【００３８】
１  ボウル部
２  便器
３  排水部
４  手洗い器
５  手洗い排水管
６  下流側配管部
７  背面カバー
８  支持リブ
１０  外郭
【図１】
2009235746.tif 000003
【図２】
2009235746.tif 000004
【図３】
2009235746.tif 000005
【図４】
2009235746.tif 000006
【図５】
2009235746.tif 000007